(57)【特許請求の範囲】
【請求項１】
車両用ドアの側板部分に凹形状に形成されたグロメット配置部に装着される非貫通タイプのグロメットと、
前記車両用ドアに装着されるドアトリムと一体に成形され、前記グロメットが前記グロメット配置部に装着された際に、前記グロメットに固定され、内部に配索されるハーネスを保護するプロテクタと
を備え、
前記グロメットは、前記車両用ドアに装着されたときに内面となる領域に形成された係止固定構造を有し、
前記プロテクタは、内部に前記ハーネスが配索されるプロテクタ本体部と、前記ドアトリムから延出して前記プロテクタ本体部に一体に接続するトリム・プロテクタ接続部とを有し、
前記プロテクタ本体部は、前記係止固定構造と係止する係止部を有している
ことを特徴とする車両用ドアの止水構造。
【発明の詳細な説明】
【技術分野】
【０００１】
本発明は、車両用ドアの止水構造に係り、特に、グロメットを有する構造における止水構造に関する。
【背景技術】
【０００２】
従来より、自動車のドアに配索されるドアハーネスの止水（防水）構造については、車体とヒンジ結合されるドアフレームの端面（側板）に貫通孔が設けられ、ドアハーネスに取り付けたグロメットを貫通孔や凹状形状箇所に装着してドアから車体へとドアハーネスが配索されている。そして、防水構造の向上及び作業性向上のため各種の技術が提案されている。
【０００３】
例えば、グロメットカバー（グロメット）の内側、すなわちドア側板側にプロテクタを固定し、内部に配索されるワイヤーハーネスがドアパネル表面に接触しないように保護する構造がある（例えば、特許文献１参照）。
【０００４】
図１の斜視図及び図２の平面図にプロテクタ１７０を有する非貫通タイプのグロメット設置構造１０１を簡単に模式的に示す。ドアパネルに側板部Ａ２（外部側）から内板部Ａ１（室内側）にわたって略Ｌ字状に凹んだグロメット用凹部１５２が設けられ、そのグロメット用凹部１５２にグロメット１１０（クランプ部）が挿入され固定される。そして、グロメット１１０がグロメット用凹部１５２に装着されると、グロメット１１０を跨ぐようにウェザーストリップ１９０が装着される。さらに、ドアパネル（ドアトリム１８０）の内部ではグロメット１１０の裏面１２４側に、ジャバラ部１４０を介して導出されるワイヤーハーネスを保護するためのプロテクタ１７０が固定される。一般に、プロテクタ１７０は樹脂成型品で形成されている。
【先行技術文献】
【特許文献】
【０００５】
【特許文献１】特開平１１−２０５７３号公報
【発明の概要】
【発明が解決しようとする課題】
【０００６】
ところで、上述のように従来技術では、プロテクタはグロメットに固定される構造により、ワイヤーハーネスがドアパネルに直接接触しないように対策されていた。一般に、ドアトリム内部にワイヤーハーネスを配索する車両では、ドアトリムとグロメットは固定されておらず、ドアトリムの車両組み付け後に、グロメットを別途位置あわせして組み付ける必要があり、作業効率の観点から改善が求められていた。
【０００７】
本発明の目的は、このような状況に鑑みてなされたものであり、上記課題を解決する技術を提供することにある。
【課題を解決するための手段】
【０００８】
本発明のある態様は、車両用ドアの止水構造に関する。この車両用ドアの止水構造は、車両用ドアの側板部分に凹形状に形成されたグロメット配置部に装着される非貫通タイプのグロメットと、前記車両用ドアに装着されるドアトリムと一体に成形され、前記グロメットが前記グロメット配置部に装着された際に、前記グロメットに固定され、内部に配索されるハーネスを保護するプロテクタとを備え、前記グロメットは、前記車両用ドアに装着されたときに内面となる領域に形成された係止固定構造を有し、前記プロテクタは、内部に前記ハーネスが配索されるプロテクタ本体部と、前記ドアトリムから延出して前記プロテクタ本体部に一体に接続するトリム・プロテクタ接続部とを有し、前記プロテクタ本体部は、前記係止固定構造と係止する係止部を有している。
【発明の効果】
【０００９】
本発明によれば、グロメットを有する構造における止水構造において、所望の止水性能を維持しつつ、グロメット装着の際の作業性を向上させる技術を提供できる。
【図面の簡単な説明】
【００１０】
【図１】従来技術に係る、車両用ドアへのグロメット装着構造を模式的に示した斜視図である。
【図２】従来技術に係る、プロテクタの配置を模式的に示した図である。
【図３】実施形態に係る、車両用ドアへのグロメット装着構造を模式的に示した斜視図である。
【図４】実施形態に係る、ドアトリムに設けられたプロテクタ部の配置を模式的に示した図である。
【発明を実施するための形態】
【００１１】
以下、発明を実施するための形態（以下、「実施形態」という）を、図面を参照しつつ説明する。
【００１２】
図３は本実施形態に係る車両用ドアへのグロメット装着構造１を模式的に示した斜視図であって、図４はプロテクタ７０の配置を模式的に示した図である。
【００１３】
図示のように、本実施形態のグロメット装着構造１では、ドアパネル５０の側板部分Ａ２にグロメット１０が装着されている。具体的には、ドアパネル５０の内板部分Ａ１から側板部分Ａ２にわたって略Ｌ字形状のグロメット用凹部５２が形成されており、そのグロメット用凹部５２に非貫通タイプのグロメット１０が挿入され固定されている。外観上は、従来技術の図１の構造と変わりはない。
【００１４】
グロメット１０は、ワイヤーハーネスをドア内部から車体側へ導出する機能を有し、グロメットベース部２０とジャバラ部４０とを備えてゴム材等の弾性材料によって一体に形成されている。このグロメット１０は非貫通タイプである。
【００１５】
ジャバラ部４０はグロメットベース部２０の外面部２２に取り付けられた蛇腹状の筒状体であって、グロメットベース部２０に設けられた貫通孔に連通している。ワイヤーハーネスがジャバラ部４０を介してドアパネル５０内部から車体側へと導出する。
【００１６】
グロメットベース部２０は、必要に応じて金属板や樹脂板等のインナーを内装しており、グロメット用凹部５２に一般的なクランプ部材（図示せず）や係止形状（図示せず）によって装着される。装着状態で、グロメットベース部２０の外面部２２は、側板部分Ａ２と略同一平面になるように形成されている。
【００１７】
また、グロメットベース部２０の外観形状は、略矩形形状（台形を倒した形状）となっており、図示左側の上下のコーナーはラウンドしている。方図示の右側側面部分は、ちょうど車両パネルの内板部分Ａ１に勘合して略同一平面になるように形成されている。
【００１８】
さらに、グロメットベース部２０の内面部（裏面）２４には、止水リップ（図示せず）がトリム８０側を除く三方の外縁に沿って形成されている。
【００１９】
ドアパネル５０の内板部分Ａ１には、トリム用凹部５４が凹状に形成されており、樹脂製のドアトリム８０が装着される。ドアトリム８０の裏面８６には、プロテクタ部７０がドアトリム８０の本体部分と一体に形成されている。
【００２０】
具体的には、ドアトリム８０の裏面８６の前方側（側板部分Ａ２側）の端部近傍にプロテクタ部７０が形成されている。プロテクタ部７０は、内部にワイヤーハーネスが配索されるプロテクタ本体部７２と、ドアトリム８０から延出してプロテクタ本体部７２に一体に接続するトリム・プロテクタ接続部７４とから構成されている。
【００２１】
プロテクタ部７０の形状は、ドアトリム８０の本体部分から延出するトリム・プロテクタ接続部７４の構造以外は、原則として、従来技術のプロテクタ１７０や特許文献１の構造を採用することができる。つまり、グロメット１０がグロメット用凹部５２に装着された状態で、トリム用凹部５４にドアトリム８０が取り付けられると、プロテクタ部７０（プロテクタ本体部７２）がグロメット１０の内面部２４に固定される。ここでは、グロメットベース部２０の内面部２４に設けられた所定の係止・固定構造と係止し固定する係止部を有している。そして、車両組み付け時には、ドアトリム８０を取り付けることで、グロメット１０とドアトリム８０の位置あわせが完了する。
【００２２】
以上、本実施形態では、ドアトリム８０にプロテクタ部７０を設けて、プロテクタ部７０がグロメット１０に固定される構造としたことで、従来技術のようにプロテクタ部７０を単独の部品として用意する必要がなく、部品点数の削減を実現でき、低コスト化や部品管理工数の削減ができる。さらに、車両組み付け工程における、グロメット１０の位置あわせ作業を省略することができる。つまり、ドアトリム８０とグロメット１０が固定されるタイミングで、プロテクタ部７０の位置あわせ作業が同時に行うことができる。
【００２３】
以上、本発明を実施形態をもとに説明した。この実施形態は例示であり、それらの各構成要素及びその組合せにいろいろな変形例が可能なこと、またそうした変形例も本発明の範囲にあることは当業者に理解されるところである。
【符号の説明】
【００２４】
１  グロメット装着構造
１０  グロメット
２０  グロメットベース部
２２  外面部
２４  内面部
４０  ジャバラ部
５０  ドアパネル
５２  グロメット用凹部
５４  トリム用凹部
７０  プロテクタ部
７２  プロテクタ本体部
７４  トリム・プロテクタ接続部
８０  ドアトリム
８４  表面
８６  裏面
９０  ウェザーストリップ
Ａ１  内板部分
Ａ２  側板部分
【図１】
0005925499.tif 000002
【図２】
0005925499.tif 000003
【図３】
0005925499.tif 000004
【図４】
0005925499.tif 000005